(57)【要約】【課題】蓋体の表面をフラットにしたデザインを保ちながら、ガラス材の剥がれや、ヒンジ部の破損を抑制し得る洗濯機を提供する。【解決手段】筐体と、筐体の上部に設けられた洗濯物出入用の開口部と、開口部を開閉する蓋体と、を備え、蓋体は、表面部分を構成する意匠面部材と、意匠面部材の裏面側を支持する蓋樹脂部材と、意匠面部材と蓋樹脂部材とを接着する接着部材と、蓋樹脂部材の裏面を覆う蓋裏樹脂部材と、蓋体を回動自在に支持するヒンジ部構造体と、を有し、ヒンジ部構造体は、蓋体を支持する主支持板と、主支持体に装着され、蓋体の回動中心となるシャフトと、主支持体に装着され、蓋体を開方向に付勢する弾性体と、を有し、主支持板に連結されて蓋体の左右側部を支持する一対の支持板を設ける。【選択図】図４
2020178788.tif 000002
【特許請求の範囲】
【請求項１】
筐体と、前記筐体の上部に設けられた洗濯物出入用の開口部と、前記開口部を開閉する蓋体と、を備え、
前記蓋体は、
表面部分を構成する意匠面部材と、前記意匠面部材の裏面側を支持する蓋樹脂部材と、前記意匠面部材と前記蓋樹脂部材とを接着する接着部材と、前記蓋樹脂部材の裏面を覆う蓋裏樹脂部材と、前記蓋体を回動自在に支持するヒンジ部構造体と、を有し、
前記ヒンジ部構造体は、
前記蓋体を支持する主支持板と、前記主支持体に装着され、前記蓋体の回動中心となるシャフトと、前記主支持体に装着され、前記蓋体を開方向に付勢する弾性体と、を有し、前記主支持板に連結されて前記蓋体の左右側部を支持する一対の支持板を設けた洗濯機。
【請求項２】
前記主支持板には、前記蓋体ヒンジ部構造体周辺に段押し形状を形成し、前記蓋樹脂部材には、前記段押し形状に対応する位置に開口部を形成し、前記開口部を介して前記段押し形状を接着部材により前記意匠面部材に接着する請求項１に記載の洗濯機。
【請求項３】
前記左支持板と、前記右支持板は、前記主支持板から離間する方向に延設し、延設方向に屈曲されて断面コ字型形状に形成する請求項１に記載の洗濯機。
【請求項４】
前記ヒンジ部構造体裏面を前記蓋裏樹脂部材により覆う請求項１に記載の洗濯機。
【請求項５】
前記筐体には、前記ヒンジ部構造体を支持する天壁支持部材を設け、前記シャフトは、一端を前記主支持板により支持し、他端を前記天壁支持部材に設けた軸受部により支持する請求項１に記載の洗濯機。
【請求項６】
前記筐体には、前記ヒンジ部構造体を支持する天壁支持部材を設け、前記弾性体はバネにより構成し、前記バネは、一端を前記主支持板により支持し、他端を前記天壁支持部材により支持する請求項１に記載の洗濯機。
【発明の詳細な説明】
【技術分野】
【０００１】
本開示は、洗濯物を洗濯する洗濯機に関する。
【背景技術】
【０００２】
縦型の洗濯機は、筐体の上面に開口部を形成し、蓋体を開放することにより開口部に洗濯物を出入する構成としている。
【０００３】
近年は、蓋体の表面を構成する部材としてガラス材を採用したフラットなデザインの洗濯機が好まれる傾向にある。ガラス材を採用することで、蓋体の重量が従来の樹脂部品で構成された蓋体よりも重くなる。
【０００４】
そのため、蓋体を開閉操作する際の操作性への配慮が必要となり、蓋体のヒンジ部にトーションばねを配置し、蓋体を開放方向へ付勢して蓋体を開閉する速度を軽減することが考えられる。
【０００５】
しかし、トーションばねを配設することにより、蓋体が閉まった状態では、蓋体のヒンジ部周辺に蓋体を開く方向にトルクが発生する。ヒンジ部周辺では、蓋体のベースとなる樹脂部品には開く方向にトルクが加わるのに対し、そのトルクはガラス材には作用しないため、ガラス材とベースとなる樹脂部品との間に剥がれが生じる、或いは、ヒンジ部の破壊を引き起こす問題がある。
【０００６】
この問題を解決するために、ガラス材端面を下面から上面にわたって別の嵌合部品で挟み込む構成が提案された（特許文献１）。
【０００７】
特許文献１の構成では、ガラス材を機械的に固定することで、ガラス材の剥がれを防止し、強度改善を図ることができる。
【先行技術文献】
【特許文献】
【０００８】
【特許文献１】特開２０１７−２２１３２６号公報
【発明の概要】
【発明が解決しようとする課題】
【０００９】
しかしながら、特許文献１の構成では、蓋体の周囲にガラス材以外の部品凹凸が現れるため、フラットなデザインを全面に表現することはできなくなる。また、使用者が蓋体を手入れする際にも、蓋体周囲の段差や凹凸隙間が弊害となるとともに、蓋体周囲の段差や凹凸隙間に埃やゴミが溜る虞がある。
【００１０】
本開示は、蓋体の表面をフラットにしたデザインを保ちながら、ガラス材の剥がれや、ヒンジ部構造体の破損を抑制し得る洗濯機を提供する。
【課題を解決するための手段】
【００１１】
本開示における洗濯機は、筐体と、前記筐体の上部に設けられた洗濯物出入用の開口部と、前記開口部を開閉する蓋体と、を備え、前記蓋体は、表面部分を構成する意匠面部材と、前記意匠面部材の裏面側を支持する蓋樹脂部材と、前記意匠面部材と前記蓋樹脂部材とを接着する接着部材と、前記蓋樹脂部材の裏面を覆う蓋裏樹脂部材と、前記蓋体を回動自在に支持するヒンジ部構造体と、を有し、前記ヒンジ部構造体は、前記蓋体を支持する
主支持板と、前記主支持体に装着され、前記蓋体の回動中心となるシャフトと、前記主支持体に装着され、前記蓋体を開方向に付勢する弾性体と、を有し、前記主支持板に連結されて前記蓋体の左右側部を支持する一対の支持板を設ける。
【発明の効果】
【００１２】
本開示における洗濯機は、蓋体の表面をフラットにしたデザインを保ちながら、ガラス材の剥がれや、ヒンジ部構造体の破損を抑制することができる。
【図面の簡単な説明】
【００１３】
【図１】実施形態の洗濯機における蓋体開時の外観斜視図
【図２】同洗濯機における蓋体閉時の外観斜視図
【図３】同洗濯機の概略的な断面図
【図４】同洗濯機の概略的な要部分解斜視図
【図５】同洗濯機の蓋体の裏面構造を示す平面図
【図６】同洗濯機の蓋体のヒンジ部構造体の分解斜視図
【図７】同洗濯機の概略的な要部分解斜視図
【発明を実施するための形態】
【００１４】
本開示は、筐体と、前記筐体の上部に設けられた洗濯物出入用の開口部と、前記開口部を開閉する蓋体と、を備え、前記蓋体は、表面部分を構成する意匠面部材と、前記意匠面部材の裏面側を支持する蓋樹脂部材と、前記意匠面部材と前記蓋樹脂部材とを接着する接着部材と、前記蓋樹脂部材の裏面を覆う蓋裏樹脂部材と、前記蓋体を回動自在に支持するヒンジ部構造体と、を有し、前記ヒンジ部構造体は、前記蓋体を支持する主支持板と、前記主支持体に装着され、前記蓋体の回動中心となるシャフトと、前記主支持体に装着され、前記蓋体を開方向に付勢する弾性体と、を有し、前記主支持板に連結されて前記蓋体の左右側部を支持する一対の支持板を設けた洗濯機を提供する。
【００１５】
これにより、蓋体の表面をフラットにしたデザインを保ちながら、ガラス材の剥がれや、ヒンジ部構造体の破損を抑制することができる。
【００１６】
前記主支持板には、前記蓋体ヒンジ部周辺に段押し形状を形成し、前記蓋樹脂部材には、前記段押し形状に対応する位置に開口部を形成し、前記開口部を介して前記段押し形状を接着部材により前記意匠面部材に接着する。
【００１７】
主支持板は、意匠面部材に直接接着されることで、強固な接着力を発揮することができる。意匠面部材と主支持板が強固に接着されることで、ヒンジ部構造体へ集中応力が発生した場合でも、意匠面部材の剥がれを防止することができる。
【００１８】
前記左支持板と、前記右支持板は、前記主支持板から離間する方向に延設し、延設方向に屈曲されて断面コ字型形状に形成する。
【００１９】
これにより、左支持板と、右支持板の強度を向上することができ、ヒンジ部構造体へ集中応力が発生した場合でも、意匠面部材の剥がれを防止することができる。
【００２０】
前記ヒンジ部構造体裏面を前記蓋裏樹脂部材により覆う。
【００２１】
これにより、蓋体を開放した際の美観の低下を抑制できる。
【００２２】
前記筐体には、前記ヒンジ部構造体を支持する天壁支持部材を設け、前記シャフトは、一端を前記主支持板により支持し、他端を前記天壁支持部材に設けた軸受部により支持す
る。
【００２３】
前記筐体には、前記ヒンジ部構造体を支持する天壁支持部材を設け、前記弾性体はバネにより構成し、前記バネは、一端を前記主支持板により支持し、他端を前記天壁支持部材により支持する。
【００２４】
（第１実施形態）
図１及び図２は、第１実施形態の洗濯機１００の概略的な斜視図である。図１および図２を参照して、洗濯機１００が説明される。
【００２５】
洗濯機１００は、筐体２００と、洗濯槽３００と、操作部４００と、蓋体５００と、ヒンジ部構造体５４０と、天壁支持部材６００と、給水口７００と、を備える。筐体２００は、前壁２１０と、後壁２２０と、左壁２３０と、右壁２４０と、天壁２５０と、を含む。前壁２１０は、洗濯機１００を使用する使用者に対向する。後壁２２０は、前壁２１０の反対側で立設される。左壁２３０は、前壁２１０と後壁２２０との間で立設される。右壁２４０は、左壁２３０の反対側で立設される。天壁２５０は、前壁２１０、後壁２２０、左壁２３０及び右壁２４０の上縁によって囲まれる。
【００２６】
天壁２５０は、前縁２５１と、後縁２５２と、左縁２５３と、右縁２５４と、を含む。前縁２５１は、天壁２５０と前壁２１０との間で形成される角隅線であってもよい。後縁２５２は、天壁２５０と後壁２２０との間で形成される角隅線であってもよい。左縁２５３は、天壁２５０と左壁２３０との間で形成される角隅線であってもよい。右縁２５４は、天壁２５０と右壁２４０との間で形成される角隅線であってもよい。
【００２７】
筐体２００内には、洗濯槽３００が収容される。洗濯槽３００は、筐体２００内で上向きに開口する。洗濯槽３００は、衣類を洗浄するための洗浄動作を行う。洗浄動作は、既知の洗濯機の洗濯槽が行う動作であってもよい。本実施形態の原理は、特定の洗浄動作に限定されない。
【００２８】
天壁２５０には、投入口２５５が形成される。使用者は、衣類を、投入口２５５を通じて、洗濯槽３００へ投入することができる。
【００２９】
蓋体５００は、天壁２５０上で、上下に回動する。ヒンジ部構造体５４０は、蓋体５００を回動可能に支持する。図１に示される蓋体５００は、天壁２５０を露出させる開位置にある。図２に示される蓋体５００は、操作部４００と前縁２５１との間で天壁２５０を覆う閉位置にある。
【００３０】
操作部４００は、投入口２５５と後縁２５２との間で、天壁２５０を部分的に覆う。
【００３１】
操作部４００は、複数のボタン４１０と、ディスプレイ４２０と、を含む。複数のボタン４１０及びディスプレイ４２０は、天壁２５０、後縁２５２に取り付けられ露出する。
【００３２】
操作部４００は、洗濯機１００の動作内容に関する動作要求を受け付ける。使用者は、複数のボタン４１０を操作し、様々な動作要求を洗濯機１００に与えることができる。ディスプレイ４２０は、使用者が与えた入力内容を表示してもよい。例えば、使用者は、複数のボタン４１０を操作し、洗濯動作の開始を洗濯機１００に指示することができる。使用者が洗濯機１００に与えることができる動作要求は、既知の洗濯機に与えることができる動作要求と同様であってもよい。本実施形態の原理は、特定の動作要求に限定されない。本実施形態において、受付部は、操作部４００によって例示される。入力部は、複数のボタン４１０によって例示される。
【００３３】
給水口７００は、後縁２５２に形成された開口部から露出する。使用者は、蛇口に取り付けられたホースを給水口７００へ接続することができる。給水口７００に供給された水は、筐体２００内の洗濯槽３００へ流入する。洗濯槽３００は、洗濯槽３００へ流入した水を用いて、衣類を洗浄する。
【００３４】
図３は、洗濯機における概略的な断面図である。洗濯槽３００は、外槽３１０と、内槽３２０と、モータ（図示せず）と、を含む。モータは、外槽３１０内に配置された内槽３２０を回転させる。
【００３５】
図４は、洗濯機における上筐体と蓋体の斜視図である。蓋体５００は、蓋体５００の表面を構成する意匠面材５１０と、意匠面材５１０を支持する蓋樹脂部材５３０と、意匠面材５１０と蓋樹脂部材５３０とを接着部材５２０を介して接合して構成される。意匠面材５１０の上には、その他の部品が嵌合されず、上筐体の前縁２５１と、後縁２５２とを意匠面材５１０によって覆われる構成となる。
【００３６】
意匠面材５１０は、本実施の形態では、従来と同様に、ガラス材を用いる。蓋体５００表面を構成する意匠面材５１０は、ガラス材に限定するものではなく、ステンレス、ホーローなどを用いることができる。意匠面材５１０は、ガラス材表面に塗装を施した不透明な意匠面を構成している。模様を施した意匠面としてもよい。
【００３７】
蓋体５００裏面には、ヒンジ部構造体５４０が構成される。ヒンジ部構造体５４０は、主支持板５４１と、右支持板５４２と、左支持板５４３と、から構成される。
【００３８】
図５は、洗濯機における蓋体裏面構造を示した平面図である。図６は、洗濯機における蓋体のヒンジ構造を示した分解斜視図である。
【００３９】
主支持板５４１は、蓋樹脂部材５３０にビスにより接合される。主支持板５４１は、左右に段押し形状５４４が設けられる。蓋樹脂部材５３０には、段押し形状５４４に対応する位置に開口部５３１を形成しており、段押し形状５４４は、開口部５３１を介して接着部材５２０により意匠面材５１０に直接接着される。主支持板５４１は、板金を使用するため、主に樹脂よりも接着よりが高い板金と、意匠面材５１０が接着されることで、蓋樹脂部材５３０と、意匠面材５１０が接着する手法より、強固な接着力を発揮する。ヒンジ部へ集中応力が発生した場合、意匠面材５１０と、主支持板５４１が強固に接着されることで、意匠面材の剥がれを防止する効果がある。
【００４０】
主支持板５４１には、左バネ５４５と、右バネ５４６と、を配設する。本実施の形態では、左バネ５４５と、右バネ５４６は、トーションばねを用いているが、他のばねを用いてもよい。左バネ５４５と、右バネ５４６には、それぞれバネ支持材５４７と、シャフト５４８と、を備える。重量の重い蓋体５００を、開ける際、使用者の負荷を軽減するため、左バネ５４５と、右バネ５４６とにより高い開トルクを発生する。バネ支持材５４７と、シャフト５４８が回転軸中心に対して左バネ５４５と、右バネ５４６の変形防止を防止することで、バネの捩れを規制し、開トルクのロスを軽減する。
【００４１】
主支持板５４１は、右支持板５４２と、左支持板５４３と、を備える。右支持板５４２と、左支持板５４３は、金属材料により形成され、主支持板５４１から離間する方向に延設し、延設方向に屈曲されて断面コ字型形状に構成される。
【００４２】
右支持板５４２と、左支持板５４３は、蓋樹脂部材５３０と、主支持板５４１に、ビスにより接合される。これら各部品の接合は、溶接による接合、または、一体部品構成であ
ってもよい。
【００４３】
左支持板５４３と、右支持板５４２は、主支持板５４１とは別部品で構成するため、材質や厚みを主支持板５４１と異ならせて形成することができ、加わる応力により適宜選択することができる。
【００４４】
左バネ５４５と、右バネ５４６から発生する開トルクにより、蓋体５００のヒンジ部端面に曲げ応力が発生し、意匠面材５１０と、蓋樹脂部材５３０には、接着部材５２０を介して、剥がれの応力が発生し、意匠面材５１０の剥がれ、変形、破壊が発生する虞が生じる。
【００４５】
一般的には、このような問題の防止策として、従来技術の欄に記載したように、蓋体ヒンジ部端面に、別部品を嵌合し、強度を上げ、剥がれを防止する。
【００４６】
しかしながら、この構成では、蓋体上面全体をフラットにすることができず、高級感が阻害される。また、意匠面材５１０に凹凸嵌合部が生じることから、埃やゴミが外観面につまり、お手入れ性の観点からも問題を生じる。
【００４７】
右支持板５４２と、左支持板５４３と、を設けることにより、ヒンジ部による開トルクを受ける面積を増大させることができ、開トルクによる、蓋体５００のヒンジ部端面に発生する曲げ応力を緩和することができる。開トルクの作用による蓋樹脂部材５３０の最大変形箇所をヒンジ部端面から蓋体５００、中央部までに分散させることができる。これにより、意匠面材５１０の剥がれ、変形、破壊を防止する。よって、一般的な洗濯機蓋と異なり、蓋体５００の全面に意匠面材５１０を構成し、フラット感、高級感を表現することができる。
【００４８】
また、意匠面材５１０を外観全面とし、他部品との嵌合構成がないことから、埃やゴミ溜りを抑制し、お手入れを容易とするメンテナンス性向上を図る。
【００４９】
蓋樹脂部材５３０と、主支持板５４１と、右支持板５４２と、左支持板５４３は、蓋裏樹脂材５７０により覆われ、蓋体５００が構成される。
【００５０】
蓋裏樹脂材５７０により、ヒンジ部構造体５４０を覆うことで、複雑な構成を隠すことができ、蓋体５００裏面を滑らかな構成にすることができ、蓋体５００の裏面の手入れを容易にすることができる。
【００５１】
蓋裏樹脂材５７０の前方側先端部には、凹部を設け、使用者の蓋体５００を開閉する際の手掛け部を構成する。
【００５２】
図７は、洗濯機における筐体から蓋体を分離した状態の概略的な斜視図である。
【００５３】
蓋体５００は、以上のように構成され、天壁２５０に挿入する。天壁２５０の内部には、天壁支持部材６００が配設される。天壁支持部材６００は、主に板金部品により構成される。天壁支持部材６００には、バネ受部（図示せず）を備えている。
【００５４】
左バネ５４５と、右バネ５４６は、バネ受部と主支持板５４１とに架設されて蓋体５００を開方向に付勢する。
【００５５】
天壁支持部材６００には、軸受部６２０を左右に構成している。蓋体５００のシャフト５４８は、一端が主支持板５４１に支持され、他端が軸受部６２０に支持されて蓋体５０
０の開閉中心支持部となる。
【００５６】
蓋体の開閉動作時に抵抗を与えるダンパ５５０を備え、ダンパ５５０は、天壁支持部材６００に設けたダンパ軸受部６３０にビスにより固定される。
【００５７】
蓋体５００は、主支持板５４１を天壁支持部材６００に固定した後、ダンパ５５０を蓋体５００裏面中心部に挿入してダンパ軸受部６３０にビスにより固定する。
【００５８】
蓋体５００の下部のヒンジ部構造体５４０に対応する箇所は、蓋裏左ヒンジ樹脂材５８０と、蓋裏左ヒンジ樹脂材５８０が取り付けられる。蓋裏左ヒンジ樹脂材５８０と、蓋裏左ヒンジ樹脂材５８０によりヒンジ部構造体５４０に対応する箇所に露出する孔等を隠すことができる。
【００５９】
本構成により、回転中心の応力によりダンパ５５０や、シャフト５４８に不具合が生じた際には、筐体２００や周辺部品を分解することなく、蓋体５００を取り外して容易に交換することが可能となる。
【産業上の利用可能性】
【００６０】
本実施形態の原理は、洗濯機能を有する様々な装置に好適に利用される。
【符号の説明】
【００６１】
１００  洗濯機
２００  筐体
２１０  前壁
２２０  後壁
２３０  左壁
２４０  右壁
２５０  天壁
２５１  前縁
２５２  後縁
２５３  左縁
２５４  右縁
２５５  投入口
３００  洗濯槽
３２０  内槽
４００  操作部
４１０  ボタン
４２０  ディスプレイ
５００  蓋体
５１０  意匠面材
５２０  接着部材
５３０  蓋樹脂部材
５４０  ヒンジ部構造体
５４１  主支持板
５４２  右支持板
５４３  左支持板
５４４  段押し形状
５４５  左バネ
５４６  右バネ
５４７  バネ支持材
５４８  シャフト
５５０  ダンパ
５７０  蓋裏樹脂材
６００  天壁支持部材（図面指示追加必要）
６２０  軸受部
６３０  ダンパ軸受部
７００  給水口
【図１】
2020178788.tif 000003
【図２】
2020178788.tif 000004
【図３】
2020178788.tif 000005
【図４】
2020178788.tif 000006
【図５】
2020178788.tif 000007
【図６】
2020178788.tif 000008
【図７】
2020178788.tif 000009